(57)【要約】本発明は、タッチスクリーンに関し、特に静電容量式タッチスクリーンに関する。本発明は、タッチ基板と、タッチ励起源とタッチ信号検出回路とを有するタッチ回路と、などからなるデジタル静電容量式タッチスクリーンを開示する。タッチ基板には、少なくとも２群の交差する電極群が設置されており、電極群における各本の電極線がタッチ励起源に接続され、タッチ回路が作動する期間において、少なくとも１つの時点でタッチ励起源が２本より多い電極線に対して同時にタッチ信号を与えると共に、タッチ信号検出回路がその中の少なくとも１本の電極線におけるタッチ信号の変化を検出する。本発明によれば、高解像力、大サイズのデジタル静電容量式タッチスクリーンを図ることができる。本発明のデジタル静電容量式タッチスクリーンは、構造が簡単で、コストが低く、且つ信頼性が高い。【選択図】図１
2012526333.tif 000002
【特許請求の範囲】
【請求項１】
タッチ基板と、タッチ励起源とタッチ信号検出回路とを有するタッチ回路とを備えるデジタル静電容量式タッチスクリーンにおいて、
タッチ基板には、少なくとも２群の交差する電極群が設置され、電極群における各本の電極線がタッチ回路に接続され、タッチ回路が作動する期間において、少なくとも１つの時点でタッチ励起源が２本より多い電極線に対して同時にタッチ信号を与えると共に、タッチ信号検出回路がその中の少なくとも１本の遮蔽保護機能を有する電極線を検出電極として選択し、前記検出電極は、当該電極にタッチ信号を与えると共に、当該電極を流れているタッチ信号の変化を検出することを意味し、前記遮蔽保護機能を有する電極は、当該電極線の隣接する又は隣接しない両側の電極線にタッチ信号が与えられた電極、又は、当該電極線と交差する電極線にタッチ信号が与えられた電極を意味する
ことを特徴とするデジタル静電容量式タッチスクリーン。
【請求項２】
１つの時点毎に一部の電極線を検出電極として選択し、検出電極線にタッチ信号を与えて検出電極線におけるタッチ信号の変化を検出すると共に、非検出電極線にもタッチ信号を与え、前記タッチ信号が与えられる非検出電極は、タッチ回路に接続される各本の電極線のうち、検出電極以外の全ての非検出電極又は一部の非検出電極である
ことを特徴とする請求項１に記載のデジタル静電容量式タッチスクリーン。
【請求項３】
検出電極にタッチ信号を与えて検出電極を流れているタッチ信号の変化を検出すると共に、検出電極と交差する他の電極にもタッチ信号を与え、前記検出電極と交差する他の電極は、検出電極と交差する全ての電極又は検出電極と交差する一部の電極である
ことを特徴とする請求項１に記載のデジタル静電容量式タッチスクリーン。
【請求項４】
検出電極にタッチ信号を与えて検出電極を流れているタッチ信号の変化を検出すると共に、検出電極と交差しない他の電極にもタッチ信号を与え、前記検出電極と交差しない他の電極は、検出電極と交差しない全ての電極、又は検出電極と交差しない一部の電極である
ことを特徴とする請求項１に記載のデジタル静電容量式タッチスクリーン。
【請求項５】
検出電極にタッチ信号を与えて検出電極を流れているタッチ信号の変化を検出すると共に、検出電極と交差する、及び検出電極と交差しない他の電極にもタッチ信号を与え、前記検出電極と交差する、及び検出電極と交差しない他の電極は、検出電極と交差する、及び検出電極と交差しない全ての電極、又は検出電極と交差する、及び検出電極と交差しない一部の電極である
ことを特徴とする請求項１に記載のデジタル静電容量式タッチスクリーン。
【請求項６】
前記タッチ回路が電極線に出力するタッチ信号は、周波数が５０ＫＨｚ以上で、ゼロ振幅の交流信号を含む
ことを特徴とする請求項１又は２に記載のデジタル静電容量式タッチスクリーン。
【請求項７】
前記タッチ信号が与えられた電極に与えられたタッチ信号は、振幅、位相、周波数、又はコードが同じであり、又は、振幅、位相、周波数、又はコードのうちの少なくとも一方が異なる
ことを特徴とする請求項１に記載のデジタル静電容量式タッチスクリーン。
【請求項８】
前記タッチ回路は検出電極を選択する場合に、１つの時点で１部分の表示スクリーン電極線を１群の検出電極として選択し、検出電極を流れているタッチ信号の変化を検出し、又は、同一の時点に２部分以上の電極線をそれぞれ２群以上の検出電極として選択し、各群の検出電極を流れているタッチ信号の変化をそれぞれ検出する
ことを特徴とする請求項１に記載のデジタル静電容量式タッチスクリーン。
【請求項９】
前記各群の検出電極は、１本又は複数本の電極線からなる
ことを特徴とする請求項１又は８に記載のデジタル静電容量式タッチスクリーン。
【請求項１０】
前記タッチ回路は検出電極を選択する場合に、走査により行われ、また、異なる時点に異なる部分の電極線を検出電極として選択する
ことを特徴とする請求項１又は８に記載のデジタル静電容量式タッチスクリーン。
【請求項１１】
前記タッチ回路は電極線におけるタッチ信号を検出する場合に、振幅、時間、位相、周波数信号、及びパルス数のうちの少なくとも一方が検出される
ことを特徴とする請求項１に記載のデジタル静電容量式タッチスクリーン。
【請求項１２】
タッチ回路は、各本の電極線におけるタッチ信号又はタッチ信号の変化量又はタッチ信号の変化率の差分を検出することにより、タッチされた電極線を決定する
ことを特徴とする請求項１に記載のデジタル静電容量式タッチスクリーン。
【請求項１３】
タッチ回路は、各本の電極線におけるタッチ信号又はタッチ信号の変化量又はタッチ信号の変化率の差分を検出することにより、電極線の間におけるタッチされた位置を計算して決定する
ことを特徴とする請求項１に記載のデジタル静電容量式タッチスクリーン。
【請求項１４】
タッチ信号又はタッチ信号の変化量又はタッチ信号の変化率が最大であることが検出された位置をタッチ位置とし、又は、タッチ信号又はタッチ信号の変化量又はタッチ信号の変化率がある所定閾値を超えたことが検出された位置をタッチ位置とし、又は、タッチ信号又はタッチ信号の変化量又はタッチ信号の変化率が最大であり、且つある所定閾値を超えたことが検出された位置をタッチ位置とする
ことを特徴とする請求項１２又は１３に記載のデジタル静電容量式タッチスクリーン。
【請求項１５】
前記タッチ基板においてタッチ回路に接続される電極線のエッジは折れ線であり、折れ線において隣接する２本の直線の夾角が２０°より大きく且つ１６０°より小さい
ことを特徴とする請求項１に記載のデジタル静電容量式タッチスクリーン。
【請求項１６】
前記タッチ基板における電極は、タッチ回路に接続される電極線のほかに、更にタッチ回路に接続されない電極を有する
ことを特徴とする請求項１に記載のデジタル静電容量式タッチスクリーン。
【請求項１７】
前記タッチ基板における少なくとも２群の交差する電極群は、各群の電極が異なる基板に設置され、又は、同一の基板において絶縁層で隔てられた異なる層に設置されている
ことを特徴とする請求項１に記載のデジタル静電容量式タッチスクリーン。
【請求項１８】
前記タッチ基板には、交差する電極群から絶縁隔離された遮蔽電極が設置されている
ことを特徴とする請求項１に記載のデジタル静電容量式タッチスクリーン。
【請求項１９】
前記タッチ基板においてタッチ回路に接続される電極線は、タッチ基板のタッチ面又は非タッチ面に設置されている
ことを特徴とする請求項１に記載のデジタル静電容量式タッチスクリーン。
【請求項２０】
前記タッチ基板は、可撓性又は硬質の透明基板である
ことを特徴とする請求項１に記載のデジタル静電容量式タッチスクリーン。
【発明の詳細な説明】
【技術分野】
【０００１】
本発明はタッチスクリーンに関し、特に静電容量式タッチスクリーンに関する。
【背景技術】
【０００２】
タッチは、人間の最も重要な感知手段であり、人間が機器と付き合う場合に最も自然な手段である。現在、タッチスクリーンは、既にパソコン、スマートフォン、公共情報、スマート家電、産業制御といった多くの分野に広く適用されるように発展してきた。従来のタッチ分野においては、主に抵抗式タッチスクリーン、光学式タッチスクリーン、超音波式タッチスクリーン、平面静電容量式タッチスクリーンがあるが、ここ数年、投影型静電容量式のタッチスクリーンが急速に発展してきた。
【０００３】
抵抗式タッチスクリーンは、やはり現在市販されている支配的な製品であるが、抵抗式タッチスクリーンの二層基板の構造では、タッチスクリーンとディスプレイパネルとが一体に積層されて用いられ、この場合、タッチスクリーンの反射光により表示の輝度、コントラスト、彩度などの表示品位が非常に影響され、全体的な表示品質が大きく低減され、また、ディスプレイパネルのバックライトの輝度を増加すると、消費電力が大幅に向上することになる。アナログ抵抗式タッチスクリーンは、更に位置決め上のドリフト問題があるため、位置の校正を常に行う必要がある。また、抵抗式タッチスクリーンの電極接触による作動方式は、タッチスクリーンの寿命を短縮させる。
【０００４】
赤外線式タッチスクリーン及び超音波式タッチスクリーンは、表示品質に影響しない。しかし、赤外線式タッチスクリーン及び超音波式タッチスクリーンは、コストが高く、水滴や埃でもタッチスクリーンの作動の信頼性に影響する。特に赤外線式タッチスクリーン及び超音波式タッチスクリーンは構造が複雑で、消費電力が大きいので、それらの携帯型製品における適用が殆んど不可能である。
【０００５】
平面静電容量式タッチスクリーンの単層基板の構造では、タッチスクリーンとディスプレイパネルとが一体に積層されて使用される場合に、タッチスクリーンの表示品質に対する影響が大きくない。しかし、平面静電容量式タッチスクリーンにも位置決め上のドリフト問題が存在するので、位置の校正を常に行う必要がある。水滴もタッチスクリーンの作動の信頼性に影響する。特に、平面静電容量式タッチスクリーンは消費電力が高く、コストが高いため、その携帯用製品における適用も殆ど不可能である。
【０００６】
投影型静電容量式のタッチスクリーンは、また単層基板の構造であり得るので、タッチスクリーンとディスプレイパネルとが一体に積層されて使用される場合に、タッチスクリーンの表示品質に対する影響も大きくない。しかし、投影型静電容量式のタッチスクリーンは、指又は他のタッチ物がタッチスクリーン電極の間における結合容量に対する影響を測定することにより、実際には指又は他のタッチ物のタッチスクリーン電極の充放電の影響を測定することにより、指又は他のタッチ物のタッチスクリーンにおける位置を検出する。位置決めポイントはシミュレーション計算による必要があり、本物のデジタルタッチスクリーンではない。製造及び使用環境における分布容量はタッチスクリーンの作動の信頼性に影響し、表示駆動信号及び他の電気信号による干渉はタッチスクリーンの作動に影響し、水滴もタッチスクリーンの作動の信頼性に影響する。また、投影型静電容量式のタッチスクリーンは検出電極線の抵抗値において高い要求があるため、ディスプレイパネルと積層して利用される投影型静電容量式タッチスクリーンの検出電極線が、ＩＴＯのような低い電気伝導率の透明電極層だけではなく、金属類の高い電気伝導率の電極層を有する必要にもなり、作製工程が複雑で、コストが高く、特に大サイズ、ひいては超大サイズのタッチスクリーンにおいては、コストが高すぎる。
【発明の概要】
【発明が解決しようとする課題】
【０００７】
本発明は、本当に高解像力を有するデジタル静電容量式タッチスクリーンを実現させることを目的とする。
【０００８】
本発明のデジタル静電容量式タッチスクリーンの基本的な作動原理としては、タッチ基板に２群の交差する電極群が設置され、電極群における各本の電極線がタッチ励起源に接続され、タッチ励起源が電極線に交流のタッチ励起信号を与える。人の指又は他のタッチ物がある電極線に近接又は接触すると、指又は他のタッチ物と電極との間に結合容量が形成され、電極線におけるタッチ励起源信号は、この結合容量部分を介して漏洩される。タッチ回路は、各本の電極線タッチ信号の変化の大きさを検出することにより、リーク電流が最も大きい、又はリーク電流がある閾値を超えた電極線を見出し、指又は他のタッチ物のタッチ基板における位置を見出す。
【０００９】
本発明は、同時に複数本の電極線にタッチ励起信号を与えることにより、タッチ信号が検出電極の間及び検出電極と非検出電極との間におけるクロストーク流動を減少し、タッチ信号の流れ方向を制御し、タッチされた電極に対する判定の正確性を向上させ、デジタル静電容量式タッチスクリーンを本当に達成させる。
【００１０】
本発明のデジタル容量タッチスクリーンは、各本の電極線におけるタッチ信号の変化量の相対値を検出することにより、タッチされた電極線を決定し、電極線の抵抗値における要求が低減され、大サイズ、ひいては超大サイズの静電容量式タッチスクリーンが実現される。
【課題を解決するための手段】
【００１１】
本発明の技術的課題は、以下の手段により解決される。
【００１２】
タッチ基板と、タッチ励起源とタッチ信号検出回路とを有するタッチ回路とを備えるデジタル静電容量式タッチスクリーンにおいて、タッチ基板には、少なくとも２群の交差する電極群が設置され、電極群における各本の電極線がタッチ回路に接続され、タッチ回路が作動する期間において、少なくとも１つの時点でタッチ励起源が２本より多い電極線に対して同時にタッチ信号を与えると共に、タッチ信号検出回路がその中の少なくとも１本の遮蔽保護機能を有する電極線を検出電極として選択し、前記検出電極は、当該電極にタッチ信号を与えると共に、当該電極を流れているタッチ信号の変化を検出することを意味し、前記遮蔽保護機能を有する電極は、当該電極線の隣接する又は隣接しない両側の電極線にタッチ信号が与えられた電極、又は、当該電極線と交差する電極線にタッチ信号が与えられた電極を意味する、デジタル静電容量式タッチスクリーンである。
【００１３】
更に、本発明の技術的課題は、以下の手段により解決される。
【００１４】
本発明の他の態様によれば、１つの時点毎に一部の電極線を検出電極として選択し、検出電極線にタッチ信号を与えて検出電極線におけるタッチ信号の変化を検出すると共に、非検出電極線にもタッチ信号を与え、前記タッチ信号が与えられる非検出電極は、タッチ回路に接続される各本の電極線のうち、検出電極以外の全ての非検出電極又は一部の非検出電極である。
【００１５】
本発明の他の態様によれば、検出電極にタッチ信号を与えて検出電極を流れているタッチ信号の変化を検出すると共に、検出電極と交差する他の電極にもタッチ信号を与え、前記検出電極と交差する他の電極は、検出電極と交差する全ての電極又は検出電極と交差する一部の電極である。
【００１６】
本発明の他の態様によれば、検出電極にタッチ信号を与えて検出電極を流れているタッチ信号の変化を検出すると共に、検出電極と交差しない他の電極にもタッチ信号を与え、前記検出電極と交差しない他の電極は、検出電極と交差しない全ての電極、又は検出電極と交差しない一部の電極である。
【００１７】
本発明の他の態様によれば、検出電極にタッチ信号を与えて検出電極を流れているタッチ信号の変化を検出すると共に、検出電極と交差する、及び検出電極と交差しない他の電極にもタッチ信号を与え、前記検出電極と交差する、及び検出電極と交差しない他の電極は、検出電極と交差する、及び検出電極と交差しない全ての電極、又は検出電極と交差する、及び検出電極と交差しない一部の電極である。
【００１８】
本発明の他の態様によれば、前記タッチ回路が電極線に出力するタッチ信号は、周波数が５０ＫＨｚ以上で、ゼロ振幅の交流信号を含む。
【００１９】
本発明の他の態様によれば、前記タッチ信号が与えられた電極に与えられたタッチ信号は、振幅、位相、周波数、又はコードが同じである。
【００２０】
本発明の他の態様によれば、前記タッチ信号が与えられた電極に与えられたタッチ信号は、振幅、位相、周波数、又はコードのうちの少なくとも一方が異なる。
【００２１】
本発明の他の態様によれば、前記タッチ回路は検出電極を選択する場合に、１つの時点で１部分の表示スクリーン電極線を１群の検出電極として選択し、検出電極を流れているタッチ信号の変化を検出する。
【００２２】
本発明の他の態様によれば、前記タッチ回路は検出電極を選択する場合に、同一の時点に２部分以上の電極線をそれぞれ２群以上の検出電極として選択し、各群の検出電極を流れているタッチ信号の変化をそれぞれ検出する。
【００２３】
本発明の他の態様によれば、前記各群の検出電極は１本又は複数本の電極線からなる。
【００２４】
本発明の他の態様によれば、前記タッチ回路は検出電極を選択する場合に、走査により行われ、また、異なる時点に異なる部分の電極線を検出電極として選択する。
【００２５】
本発明の他の態様によれば、前記タッチ回路は電極線におけるタッチ信号を検出する場合に、電流信号と電圧信号のうちの少なくとも一方が検出される。
【００２６】
本発明の他の態様によれば、前記タッチ回路は電極線におけるタッチ信号を検出する場合に、振幅、時間、位相、周波数信号、及びパルス数のうちの少なくとも一方が検出される。
【００２７】
本発明の他の態様によれば、タッチ回路は、各本の電極線におけるタッチ信号又はタッチ信号の変化量又はタッチ信号の変化率の差分を検出することにより、タッチされた電極線を決定する。
【００２８】
本発明の他の態様によれば、タッチ物の位置を更に精度良く決定するために、又は、タッチ基板におけるタッチ回路に接続される電極線の数を減少するために、タッチ回路は、各本の電極線におけるタッチ信号又はタッチ信号の変化量又はタッチ信号の変化率の差分を検出することにより、タッチ物の電極線の間におけるタッチされた位置を計算して決定する。
【００２９】
本発明の他の態様によれば、タッチ信号又はタッチ信号の変化量又はタッチ信号の変化率が最大であることが検出された位置をタッチ位置とし、又は、タッチ信号又はタッチ信号の変化量又はタッチ信号の変化率がある所定閾値を超えたことが検出された位置をタッチ位置とし、又は、タッチ信号又はタッチ信号の変化量又はタッチ信号の変化率が最大であり、且つある所定閾値を超えたことが検出された位置をタッチ位置とする。
【００３０】
本発明の他の態様によれば、タッチ基板におけるタッチ回路に接続される電極群は、２群の直交する電極群である。
【００３１】
本発明の他の態様によれば、前記タッチ基板においてタッチ回路に接続される電極線のエッジは折れ線であり、折れ線において隣接する２本の直線の夾角が２０°より大きく且つ１６０°より小さい。
【００３２】
本発明の他の態様によれば、前記タッチ基板における電極は、タッチ回路に接続される電極線のほかに、更にタッチ回路に接続されない電極を有する。
【００３３】
本発明の他の態様によれば、前記タッチ基板における少なくとも２群の交差する電極群は、各群の電極が異なる基板に設置されている。
【００３４】
本発明の他の態様によれば、前記タッチ基板における少なくとも２群の交差する電極群は、同一の基板の異なる層に設置され、各層の電極の間は絶縁層で隔てられている。
【００３５】
本発明の他の態様によれば、前記タッチ基板には、交差する電極群から絶縁隔離された遮蔽電極が設置されている。
【００３６】
本発明の他の態様によれば、前記タッチ基板においてタッチ回路に接続される電極線は、タッチ基板のタッチ面に設置されている。
【００３７】
本発明の他の態様によれば、前記タッチ基板においてタッチ回路に接続される電極線は、タッチ基板の非タッチ面に設置されている。
【００３８】
本発明の他の態様によれば、前記タッチ基板は可撓性又は硬質の透明基板である。
【発明の効果】
【００３９】
本発明は、従来技術と比べると、下記の有益な効果を有する。
【００４０】
本発明は、高解像力のデジタル静電容量式タッチスクリーンを達成することができる。本発明の静電容量式タッチスクリーンは、検出電極及び非検出電極に同時にタッチ信号を与えることにより、タッチ信号の検出電極の間及び検出電極と非検出電極との間における流動を減少し、タッチ信号の流れを制御し、タッチされた電極に対する判定の正確性を、それぞれの電極線が識別できるように向上させ、デジタル静電容量式タッチスクリーンを本当に達成する。
【００４１】
タッチ信号の流れ方向を更に精度良く制御するために、各検出電極に与えられるタッチ信号の振幅、位相、周波数又はコードを異なるように調整してもよく、非検出電極に与えられるタッチ信号の振幅、位相、周波数又はコードと、検出電極に与えられるタッチ信号の振幅、位相、周波数又はコードとを異なるように調整してもよい。
【００４２】
本発明は、大サイズの静電容量式タッチスクリーンを達成することができる。本発明のデジタル静電容量式タッチスクリーンは、各本の電極線におけるタッチ信号又はタッチ信号の変化量又はタッチ信号の変化率の差分を検出することにより、つまり、各本の電極線の間にタッチ信号の相対値を検出することにより、タッチされた電極線を決定し、電極線の抵抗値において要求がそれほど高くなく、大サイズのタッチスクリーンの電極線が長くなり、抵抗値が大きくなっても、やはり各本の電極線の間におけるタッチ信号の相対値を測定することにより、正確的にタッチされた電極線を決定することができ、大サイズ、ひいては超大サイズ静電容量式タッチスクリーンが実現される。
【００４３】
タッチされた電極線を判定する条件としては、タッチ信号の変化が最大であり、且つある所定閾値を超えたことが検出された電極線をタッチされた電極線としてもよく、タッチフラットパネルディスプレイは、シングルタッチによるものである。また、タッチされた電極線を判定する条件としては、本発明のデジタル静電容量式タッチスクリーンが同時マルチタッチに対応可能になるように、タッチ信号の変化量がある所定閾値を超えたことが検出された電極線だけをタッチされた電極線としてもよい。
【００４４】
本発明のデジタル静電容量式タッチスクリーンは構造が簡単であり、従来常に利用されているディスプレイ及びタッチスクリーンの製造方法によって容易に達成することができるので、タッチスクリーンのコストが低下し、信頼性が向上する。
【図面の簡単な説明】
【００４５】
【図１】本発明の具体的な実施形態１、実施形態２及び実施形態３の電気的接続を模式的に示す図である。
【図２】本発明の具体的な実施形態４及び実施形態５の電気的接続を模式的に示す図である。
【図３】本発明の具体的な実施形態６の構造を模式的に示す図である。
【図４】本発明の具体的な実施形態７の構造を模式的に示す図である。
【図５】本発明の具体的な実施形態８の構造を模式的に示す図である。
【図６】本発明の具体的な実施形態９の構造を模式的に示す図である。
【図７】本発明の具体的な実施形態１０の構造を模式的に示す図である。
【発明を実施するための形態】
【００４６】
実施形態１
図１に示すデジタル静電容量式タッチスクリーン１００は、タッチパネル１１０と、タッチ回路１４０と、などを備える。タッチパネル１１０においては、２群の互いに直交する行電極群１２０（行電極線１２１、１２２、……、１２ｍを含む）及び列電極群１３０（列電極線１３１、１３２、……、１３ｎを含む）が設置されている。タッチ回路１４０は、行タッチ回路１４１と、列タッチ回路１４２と、制御判定回路１４３と、などを有する。行電極群１２０の各電極線は行タッチ回路１４１に接続され、列電極群１３０の各電極線は列タッチ回路１４２に接続され、行タッチ回路１４１と列タッチ回路１４２とは制御判定回路１４３に接続されている。前記タッチ回路は、行タッチ回路と列タッチ回路とを備え、行タッチ回路と列タッチ回路とのいずれもがタッチ励起源とタッチ信号検出回路とを備える。本実施形態の後続の記載においても、後続の他の実施形態を含む記載においても、タッチ励起源とタッチ信号検出回路は更に細かく分けられず、いずれも「タッチ回路」、「行タッチ回路」又は「列タッチ回路」と総称される。
【００４７】
まず、タッチ回路１４０は行電極群１２０に対してタッチ検出を行い、行タッチ回路１４１は同時に行電極群１２０における全て行電極線１２１、１２２、……、１２ｍを行検出電極として選択し、同時に全ての行電極線にタッチ信号を与え、列タッチ回路１４２は列電極群１３０における全ての列電極線にも、行タッチ回路１４１が行電極に与えたタッチ信号とまったく同じタッチ信号を与え、且つ、行タッチ回路１４１は各行電極線を流れているタッチ信号の変化をそれぞれ検出し、制御判定回路１４３は、流れているタッチ信号の変化量が最大であり、且つある所定閾値を超えたことが行タッチ回路１４１により検出された行電極線をタッチされた行電極線とする。そして、タッチ回路１４０は列電極群１３０にタッチ検出を行い、列タッチ回路１４２は同時に列電極群１３０における全ての列電極線１３１、１３２、……、１３ｎを列検出電極として選択し、同時に全ての列電極線にタッチ信号を与え、行電極回路１４１は列電極群１２０における全ての行電極線にも、列タッチ回路１４２が列電極に与えたタッチ信号とまったく同じタッチ信号を与え、且つ、列タッチ回路１４２は各列電極線を流れているタッチ信号の変化をそれぞれ検出し、制御判定回路１４３は、流れているタッチ信号の変化量が最大であり、且つある所定閾値を超えたことが列タッチ回路１４２により検出された列電極線をタッチされた列電極線とする。タッチ回路１４０は、行電極群１２０に対するタッチ検出と列電極群１３０に対するタッチ検出との間に繰り返して切り替え、検出されたタッチされた行電極線とタッチされた列電極線との交差点により、タッチされたポイントの位置を決定し、ｍ×ｎタッチポイントが識別されるデジタル静電容量式タッチスクリーンを形成する。
【００４８】
タッチされた電極線を判定する条件としては、流れているタッチ信号の変化量が最大であり、且つ、ある所定閾値を超えたことが検出された電極線をタッチされた電極線とする代わりに、流れているタッチ信号の変化量がある所定閾値を超えたことが検出された、大きい順に前の３本の電極線の位置重み付きのタッチ信号の変化量の平均値を、タッチ位置としてもよい。このように計算して得られたタッチ位置はある電極線の中央に存在しないことが多いので、更に精度良く識別されてｍ×ｎより多いタッチポイントを有するデジタル静電容量式タッチスクリーンが得られる。
【００４９】
作業者がデジタル静電容量式タッチスクリーンに触れる時に、干渉に抵抗して測定しやすくなるようにタッチ信号の変化量を十分に大きくするために、つまり、タッチ信号の透過力を十分にするために、タッチ回路が電極線に出力したタッチ信号の周波数は５０ＫＨｚより小さくてはならない。
【００５０】
タッチ回路は電極線におけるタッチ信号を検出する場合に、電圧信号又は電流信号が検出されてもよく、振幅、又は位相、又は周波数信号が検出されてもよく、電極線がコンデンサに対して充放電する期間にカウンターにより記録されたパルス数が検出されてもよい。
【００５１】
タッチされた電極線を判定する条件としては、デジタル静電容量式タッチスクリーンが同時マルチタッチに対応可能になるように、流れているタッチ信号の変化量がある所定閾値を超えたことが検出された電極線だけをタッチされた電極線としてもよい。
【００５２】
実施形態２
図１に示すデジタル静電容量式タッチスクリーン１００は、タッチパネル１１０と、タッチ回路１４０と、などを備える。タッチパネル１１０においては、２群の互いに直交する行電極群１２０（行電極線１２１、１２２、……、１２ｍを含む）及び列電極群１３０（列電極線１３１、１３２、……、１３ｎを含む）が設置されている。タッチ回路１４０は、行タッチ回路１４１と、列タッチ回路１４２と、制御判定回路１４３と、などを有する。行電極群１２０の各電極線は行タッチ回路１４１に接続され、列電極群１３０の各電極線は列タッチ回路１４２に接続され、行タッチ回路１４１と列タッチ回路１４２は制御判定回路１４３に接続されている。
【００５３】
タッチ回路１４０は、同時に行電極群１２０と列電極群１３０に対してタッチ検出を行う。行タッチ回路１４１は同時に行電極群１２０における全ての行電極線１２１、１２２、……、１２ｍを行検出電極として選択し、同時に全ての行電極線にタッチ信号を与え、列タッチ回路１４２は列電極群１３０における全ての列電極線にも、行タッチ回路１４１が行電極に与えたタッチ信号とまったく同じタッチ信号を与え、且つ、行タッチ回路１４１は各行電極線を流れているタッチ信号の変化をそれぞれ検出し、制御判定回路１４３は、流れているタッチ信号の変化量が最大であり、且つある所定閾値を超えたことが行タッチ回路１４１により検出された行電極線を、タッチされた行電極線とする。
【００５４】
列タッチ回路１４２は、同時に列電極群１３０における全ての列電極線１３１、１３２、……、１３ｎを列検出電極として選択し、同時に全ての列電極線にタッチ信号を与え、行タッチ回路１４１は行電極群１２０における全ての行電極線にも、列タッチ回路１４２が列電極に与えたタッチ信号とまったく同じタッチ信号を与え、また、列タッチ回路１４２は各列電極線を流れているタッチ信号の変化をそれぞれ検出し、制御判定回路１４３は、流れているタッチ信号の変化量が最大であり、且つある所定閾値を超えたことが列タッチ回路１４２により検出された列電極線を、タッチされた列電極線とする。タッチ回路１４０は、行電極群１２０に対するタッチ検出と列電極群１３０に対するタッチ検出との間に繰り返して切り替え、検出されたタッチされた行電極線とタッチされた列電極線との交差点により、タッチされたポイントの位置を決定し、ｍ×ｎタッチポイントが識別されるデジタル静電容量式タッチスクリーンを形成する。
【００５５】
タッチされた電極線を判定する条件としては、流れているタッチ信号の変化量が最大であり、且つ、ある所定閾値を超えたことが検出された電極線をタッチされた電極線とする代わりに、流れているタッチ信号の変化量がある所定閾値を超えたことが検出された、大きい順に前の３本の電極線の位置重み付きのタッチ信号の変化量の平均値を、タッチ位置としてもよい。このように計算して得られたタッチ位置はある電極線の中央に存在しないことが多いので、更に精度良く識別されてｍ×ｎより多いタッチポイントを有するデジタル静電容量式タッチスクリーンが得られる。
【００５６】
タッチ回路は電極線におけるタッチ信号を検出する場合に、電圧信号又は電流信号が検出されてもよく、振幅、又は位相、又は周波数信号が検出されてもよく、電極線がコンデンサに対して充放電する期間にカウンターにより記録されたパルス数が検出されてもよい。
タッチされた電極線を判定する条件としては、デジタル静電容量式タッチスクリーンが同時マルチタッチに対応可能になるように、流れているタッチ信号の変化量がある所定閾値を超えたことが検出された電極線だけをタッチされた電極線としてもよい。
【００５７】
実施形態３
図１に示すデジタル静電容量式タッチスクリーン１００は、タッチパネル１１０と、タッチ回路１４０と、などを備える。タッチパネル１１０においては、２群の互いに直交する行電極群１２０（行電極線１２１、１２２、……、１２ｍを含む）及び列電極群１３０（列電極線１３１、１３２、……、１３ｎを含む）が設置されている。タッチ回路１４０は、行タッチ回路１４１と、列タッチ回路１４２と、制御判定回路１４３と、などを有する。行電極群１２０の各電極線は行タッチ回路１４１に接続され、列電極群１３０の各電極線は列タッチ回路１４２に接続され、行タッチ回路１４１と列タッチ回路１４２は制御判定回路１４３に接続されている。
【００５８】
まず、タッチ回路１４０は行電極群１２０にタッチ検出を行い、行タッチ回路１４１は走査により、１つの時点毎に行電極線１２１、１２２、……、１２ｍのうちの１本の電極線を行検出電極として選択し、タッチ信号を与えると共に、その１本の電極線を流れているタッチ信号の変化を検出し、それと同時に、行タッチ回路１４１は他の全ての非検出電極の行電極線にも、検出電極に与えられたタッチ信号と全く同じタッチ信号を与え、列タッチ回路１４２は全ての列電極線にも、検出電極に与えられたタッチ信号と全く同じタッチ信号を与え、制御判定回路１４３は、流れているタッチ信号の変化量が最大であり、且つある所定閾値を超えたことが行タッチ回路１４１により検出された行電極線を、タッチされた行電極線とする。そして、タッチ回路１４０は列電極群１３０にタッチ検出を行い、列タッチ回路１４２は走査により、１つの時点毎に列電極線１３１、１３２、……、１３ｎのうちの１本の電極線を列検出電極として選択し、タッチ信号を与えると共に、その１本の電極線を流れているタッチ信号の変化を検出し、それと同時に、列タッチ回路１４２は他の全ての非検出電極の列電極線にも、検出電極に与えられたタッチ信号と全く同じタッチ信号を与え、行タッチ回路１４１は全ての行電極線にも、検出電極に与えられたタッチ信号と全く同じタッチ信号を与え、制御判定回路１４３は、流れているタッチ信号の変化量が最大であり、且つある所定閾値を超えたことが列タッチ回路１４２により検出された列電極線を、タッチされた列電極線とする。タッチ回路１４０は、行電極群１２０に対するタッチ検出と列電極群１３０に対するタッチ検出との間に繰り返して切り替え、検出されたタッチされた行電極線とタッチされた列電極線との交差点により、タッチされたポイントの位置を決定し、ｍ×ｎタッチポイントが識別されるデジタル静電容量式タッチスクリーンを形成する。
【００５９】
検出電極にタッチ信号を与えると共に、タッチ信号の流れ方向を更に精度良く制御するように、非検出電極に与えられるタッチ信号の振幅、位相、周波数と、検出電極に与えられるタッチ信号の振幅、位相、周波数とを異なるように調整してもよい。検出電極に与えられるタッチ信号と非検出電極に与えられるタッチ信号との異なりは、振幅、位相、周波数がいずれも異なってもよく、振幅、位相、周波数のうちの１つ又は２つだけが異なってもよい。
【００６０】
タッチ回路は電極線におけるタッチ信号を検出する場合に、電圧信号又は電流信号が検出されてもよく、振幅、又は位相、又は周波数信号が検出されてもよく、電極線がコンデンサに対して充放電する期間にカウンターにより記録されたパルス数が検出されてもよい。
【００６１】
タッチされた電極線を判定する条件としては、流れているタッチ信号の変化量が最大であり、且つ、ある所定閾値を超えたことが検出された電極線をタッチされた電極線とする代わりに、流れているタッチ信号の変化量がある所定閾値を超えたことが検出された、大きい順に前の３本の電極線の位置重み付きのタッチ信号の変化量の平均値を、タッチ位置としてもよい。このように計算して得られたタッチ位置はある電極線の中央に存在しないことが多いので、更に精度良く識別されてｍ×ｎより多いタッチポイントのデジタル静電容量式タッチスクリーンが得られる。
【００６２】
タッチされた電極線を判定する条件としては、デジタル静電容量式タッチスクリーンが同時マルチタッチに対応可能になるように、流れているタッチ信号の変化量がある所定閾値を超えたことが検出された電極線だけをタッチされた電極線としてもよい。
【００６３】
誤タッチを回避するために、制御判定回路は、行タッチ回路により検出されたタッチ信号の変化量が最大であり、且つある所定閾値を超えているが、タッチ信号の経時変化率が大きすぎ（誤タッチが速過ぎる）、又はタッチ信号の経時変化率が小さすぎる（誤タッチが遅過ぎる）電極線を、タッチされた電極線とすることを排除することができる。
【００６４】
実施形態４
図２に示すデジタル静電容量式タッチスクリーン２００は、タッチパネル２１０と、タッチ回路２４０と、などを備える。タッチパネル２１０においては、２群の互いに直交する、行電極群２２０（行電極線２２１、２２２、……、２２ｉ、２２ｉ＋１、……、２２ｍを含む）及び列電極群２３０（列電極線２３１、２３２、……、２３ｊ、２３ｊ＋１、……２３ｎを含む）が設置されている。タッチ回路２４０は、行タッチ回路２４１と、列タッチ回路２４２と、制御判定回路２４３と、などを有する。行電極群２２０の各電極線は行タッチ回路２４１に接続され、列電極群２３０の各電極線は列タッチ回路２４２に接続され、行タッチ回路２４１と列タッチ回路２４２は制御判定回路２４３に接続されている。
【００６５】
まず、タッチ回路２４０は行電極群２２０に対してタッチ検出を行い、行タッチ回路２４１は走査により、１つの時点毎に行電極線２２１、２２２、……、２２ｉから１本の電極線を検出電極として選択してタッチ信号を与え、行電極線２２ｉ＋１、……、２２ｍから他の１本の電極線も検出電極として選択してタッチ信号を与えると共に、その２本の電極線を流れているタッチ信号の変化をそれぞれ検出し、それと同時に、行タッチ回路２４１は他の全ての非検出電極の行電極線にも全く同じ振幅、位相及び周波数のタッチ信号を与え、列タッチ回路２４２は全ての列電極線にも全く同じ振幅、位相及び周波数のタッチ信号を与え、制御判定回路２４３は、全ての行電極線２２１、２２２、……、２２ｉ、２２ｉ＋１、……２２ｍのうち、流れているタッチ信号の変化が最大であり、且つある所定閾値を超えたことが行タッチ回路２４１により検出された行電極線を、タッチされた行電極線とする。そして、タッチ回路２４０は列電極群２３０に対してタッチ検出を行い、列タッチ回路２４２は、走査により、１つの時点毎に列電極線２３１、２３２、……、２３ｊから１本の電極線を検出電極として選択してタッチ信号を与え、列電極線２３ｊ＋１、……、２３ｎから他の１本の電極線も検出電極として選択してタッチ信号を与えると共に、その２本の電極線を流れているタッチ信号の変化をそれぞれ検出し、それと同時に、列タッチ回路２４２は、他の全ての非検出電極の列電極線にも全く同じ振幅、位相及び周波数のタッチ信号を与え、行タッチ回路２４１は、全ての行電極線にも全く同じ振幅、位相及び周波数のタッチ信号を与え、制御判定回路２４３は、全ての列電極線２３１、２３２、……、２３ｊ、２３ｊ＋１、……２３ｎのうち、流れているタッチ信号の変化が最大であり、且つある所定閾値を超えたことが列タッチ回路２４２により検出された列電極線を、タッチされた列電極線とする。タッチ回路２４０は、行電極群２２０に対するタッチ検出と列電極群２３０に対するタッチ検出との間に繰り返して切り替え、検出されたタッチされた行電極線とタッチされた列電極線との交差点により、タッチされたポイントの位置を決定し、ｍ×ｎタッチポイントが識別されるデジタル静電容量式タッチスクリーンを形成する。
【００６６】
行タッチ回路２４１と列タッチ回路２４２は、いずれも同時に２本の電極線を検出電極として選択し、ブロック毎に同時に走査することによりタッチ検出を行うので、全タッチスクリーンにおけるタッチポイントを検出する時間が短縮される。
【００６７】
検出電極にタッチ信号を与えると共に、タッチ信号の流れ方向を更に精度良く制御するために、非検出電極に与えられるタッチ信号の振幅、位相、周波数と、検出電極に与えられるタッチ信号の振幅、位相、周波数とをなるように調整してもよい。検出電極に与えられるタッチ信号と非検出電極に与えられるタッチ信号との異なりは、振幅、位相、周波数がいずれも異なってもよく、振幅、位相、周波数のうちの１つ又は２つだけが異なってもよい。
【００６８】
タッチされた電極線を判定する条件としては、流れているタッチ信号の変化が最大であり、且つある所定閾値を超えたことが検出された電極線をタッチされた電極線とする代わりに、タッチフラットパネルスクリーンが同時マルチタッチに対応可能になるように、流れているタッチ信号の変化がある所定閾値を超えたことが検出された電極線だけをタッチされた電極線としてもよい。
【００６９】
誤タッチを回避するために、制御判定回路は、行タッチ回路により検出されたタッチ信号の変化量が最大であり、且つある所定閾値を超えているが、タッチ信号の経時変化率が大きすぎ（誤タッチが速過ぎる）、又はタッチ信号の経時変化率が小さすぎる（誤タッチが遅過ぎる）電極線を、タッチされた電極線とすることを排除することができる。
【００７０】
実施形態５
図２に示すデジタル静電容量式タッチスクリーン２００は、タッチパネル２１０と、タッチ回路２４０と、などを備える。タッチパネル２１０においては、２群の互いに直交する、行電極群２２０（行電極線２２１、２２２、……、２２ｉ、２２ｉ＋１、……、２２ｍを含む）及び列電極群２３０（列電極線２３１、２３２、……、２３ｊ、２３ｊ＋１、……２３ｎを含む）が設置されている。タッチ回路２４０は、行タッチ回路２４１と、列タッチ回路２４２と、制御判定回路２４３と、などを有する。行電極群２２０の各電極線は行タッチ回路２４１に接続され、列電極群２３０の各電極線は列タッチ回路２４２に接続され、行タッチ回路２４１と列タッチ回路２４２は制御判定回路２４３に接続されている。
【００７１】
まず、タッチ回路２４０は、行電極群２２０に対してタッチ検出を行い、行タッチ回路２４１は走査により、１つの時点毎に行電極線２２１、２２２、……、２２ｉから１本の電極線を検出電極として選択してタッチ信号を与え、行電極線２２ｉ＋１、……、２２ｍから他の１本の電極線も検出電極として選択してタッチ信号を与えると共に、その２本の電極線を流れているタッチ信号の変化をそれぞれ検出し、それと同時に、行タッチ回路２４１は、残る全ての非検出電極の行電極線にも全く同じ振幅、位相及び周波数のタッチ信号を与え、列タッチ回路２４２は、全ての列電極線にも全く同じ振幅、位相及び周波数のタッチ信号を与え、制御判定回路２４３は、行電極線２２１、２２２、……、２２ｉのうち、流れているタッチ信号の変化が最大であり、且つある所定閾値を超えたことが行タッチ回路２４１により検出された行電極線をタッチされた行電極線とし、制御判定回路２４３は、行電極線２２ｉ＋１、……、２２ｍのうち、流れているタッチ信号の変化が最大であり、且つある所定閾値を超えたことが検出された行電極線もタッチされた行電極線とする。そして、タッチ回路２４０は、列電極群２３０に対してタッチ検出を行い、列タッチ回路２４２は、走査により、１つの時点毎に列電極線２３１、２３２、……、２３ｊ、２３ｊ＋１、……、２３ｎから１本の電極線を検出電極として選択してタッチ信号を与えると共に、その１本の電極線を流れているタッチ信号の変化を検出し、それと同時に、列タッチ回路２４２は、他の全ての非検出電極の列電極線にも全く同じ振幅、位相及び周波数のタッチ信号を与え、行タッチ回路２４１は全ての行電極線にも全く同じ振幅、位相及び周波数のタッチ信号を与え、制御判定回路２４３は、全ての列電極線２３１、２３２、……、２３ｊ、２３ｊ＋１、……２３ｎのうち、流れたタッチ信号の変化が最大であり、且つある所定閾値を超えたことが列タッチ回路２４２により検出された列電極線を、タッチされた列電極線とする。タッチ回路２４０は、行電極群２２０に対するタッチ検出と列電極群２３０に対するタッチ検出との間に繰り返して切り替え、検出されたタッチされた行電極線とタッチされた列電極線との交差点により、タッチされたポイントの位置を決定し、行電極線２２ｉを境界としてタッチパネル２１０の上下ハーフブロックでそれぞれｉ×ｎタッチポイントと（ｍ−ｉ）×ｎタッチポイントが識別されるデジタル静電容量式タッチスクリーンを形成する。
【００７２】
検出電極にタッチ信号を与えると共に、タッチ信号の流れ方向を更に精度良く制御するために、非検出電極に与えられるタッチ信号の振幅、位相、周波数と、検出電極に与えられるタッチ信号の振幅、位相、周波数とを異なるように調整してもよい。検出電極に与えられるタッチ信号と非検出電極に与えられるタッチ信号との異なりは、振幅、位相、周波数がいずれも異なってもよく、振幅、位相、周波数のうちの１つ又は２つだけが異なってもよい。
【００７３】
誤タッチを回避するために、制御判定回路は、行タッチ回路により検出されたタッチ信号の変化量が最大であり、且つある所定閾値を超えているが、タッチ信号の経時変化率が大きすぎ（誤タッチが速過ぎる）、又はタッチ信号の経時変化率が小さすぎる（誤タッチが遅過ぎる）電極線を、タッチされた電極線とするのを排除することができる。
【００７４】
実施形態６
図３に示すデジタル静電容量式タッチスクリーンのタッチパネル３００は、上基板３１０と下基板３２０とを備え、上基板３１０と下基板３２０とは接着材３３０により一体に接着されている。上基板３１０の裏側表面には、エッジが直線的な電極線からなるストリップ状電極群３４０（電極線３４１、３４２、……、３４ｍを含む）が設置されており、下基板３２０の裏側表面には、エッジが直線的な電極線からなるストリップ状電極群３５０（電極線３５１、３５２、……、３５ｎを含む）が設置されており、電極群３５０の方向と電極群３４０の方向とは互いに直交している。電極群３４０と電極群３５０におけるタッチ回路に接続するための引き出し端は、上基板３１０と下基板３２０との２つの互いに直交するエッジにそれぞれ設置されている。
【００７５】
実施形態７
図４に示すデジタル静電容量式タッチスクリーンのタッチパネル４００は、タッチパネル４００をスクリーンの前に置いて使用するために、タッチパネル４００による表示効果への影響がなるべく低減されるように、基板として単一の透明基板４１０が採用される。基板４１０の上側表面には、エッジが折れ線的な電極線からなるストリップ状電極群４２０（電極線４２１、４２２、……、４２ｍを含む）が設置されており、基板４１０の下側表面には、エッジが折れ線的な電極線からなるストリップ状電極群４３０（電極線４３１、４３２、……、４３ｎを含む）が設置されており、電極群４３０における各電極線の中心線の方向と電極群４２０における電極線の中心線の方向とは互いに直交している。電極群４２０と電極群４３０とのエッジの折れ線において、２本の隣接する直線の夾角αが２０°より大きく且つ１６０°より小さい。電極群４２０と電極群４３０におけるタッチ回路に接続するための引き出し端は、基板４１０の２つの互いに直交するエッジにそれぞれ設置されている。ユーザが電極群４２０に直接に触らないように、電極群４２０の外側には絶縁層４４０が設置されている。
【００７６】
実施形態８
図５に示すデジタル静電容量式タッチスクリーンのタッチパネル５００は、タッチパネル５００をディスプレイの前に置いて使用するために、タッチパネル５００による表示効果への影響がなるべく低減されるように、基板として単一の透明基板５１０が採用される。基板５１０の非タッチ面側の表面には、エッジが全て直線的な電極線からなるストリップ状電極群５２０（電極線５２１、５２２、……、５２ｍを含む）及びストリップ状電極群５３０（電極線５３１、５３２、……、５３ｎを含む）が設置されており、電極群５２０と電極群５３０とは異なる層にあり、電極群５２０と電極群５３０との２層の電極の間は、絶縁層５４０により隔てられる。タッチパネル５００をディスプレイの前に置いて使用する際に、タッチパネル５００の各所になるべく近い透過率を有するために、基板５１０の面において電極群５２０及び電極群５３０の投影に覆われていない領域には、電極群５２０の同一層に分散電極群５５０が設置されている。電極群５２０における各電極線の中心線の方向と電極群５３０における各電極線の中心線の方向とは直交している。電極群５２０と電極群５３０におけるタッチ回路に接続するための引き出し端は、基板５１０の２つの互いに直交するエッジにそれぞれ設置されている。
【００７７】
実施形態９
図６に示すデジタル静電容量式タッチスクリーンのタッチパネル６００は、タッチパネル６００をディスプレイの前に置いて使用するために、タッチパネル６００による表示効果への影響がなるべく低減されるように、基板として単一の透明基板６１０が採用される。基板６１０の非タッチ面側の表面には、エッジが全て直線的な電極線からなるストリップ状電極群６２０（電極線６２１、６２２、……、６２ｍを含む）及びストリップ状電極群６３０（電極線６３１、６３２、……、６３ｎを含む）が設置されており、電極群６２０と電極群６３０とは異なる層にあり、電極群６２０と電極群６３０との２層の電極の間は、絶縁層６４０により隔てられる。タッチパネル６００をディスプレイの前に置いて使用する際に、タッチパネル６００の各所になるべく近い透過率を有するために、基板６１０面において電極群６２０及び電極群６３０の投影に覆われていない領域には、電極群６２０の同一層に分散電極群６５０が設置されている。電極群６２０における各電極線の中心線の方向と電極群６３０における各電極線の中心線の方向とは直交している。電極群６２０と電極群６３０におけるタッチ回路に接続するための引き出し端は、基板６１０の２つの互いに直交するエッジにそれぞれ設置されている。ディスプレイ又は機械における電気信号によるタッチパネル６００におけるタッチ信号への干渉を抑制するために、電極群６３０の内側には更に１層の遮蔽電極６６０が増設されており、遮蔽電極６６０と電極群６３０との２層の電極の間は、絶縁層６７０により隔てられる。
【００７８】
実施形態１０
図７に示すデジタル静電容量式タッチスクリーンのタッチパネル７００は、タッチパネル７００をディスプレイの前に置いて使用するために、タッチパネル７００にる表示効果への影響がなるべく低減されるように、基板として単一の透明基板７１０が採用される。基板７１０のタッチ面側の表面には、エッジが全て直線的な電極線からなるストリップ状電極群７２０（電極線７２１、７２２、……、７２ｍを含む）及びストリップ状電極群７３０（電極線７３１、７３２、……、７３ｎを含む）が設置されており、電極群７２０と電極群７３０とは異なる層にあり、電極群７２０と電極群７３０との２層の電極の間は、絶縁層７４０により隔てられる。ユーザが電極群７３０に直接に触らないように、電極群７３０の外側には絶縁層７６０が設置されている。タッチパネル７００をディスプレイの前に置いて使用する際に、タッチパネル７００の各所になるべく近い透過率を有するために、基板７１０の面において電極群７２０及び電極群７３０の投影に覆われていない領域には、電極群７３０の同一層に分散電極群７５０が設置されている。電極群７２０における各電極線の中心線の方向と電極群７３０における各電極線の中心線の方向とは直交している。電極群７２０と電極群７３０におけるタッチ回路に接続するための引き出し端は、基板７１０の２つの互いに直交するエッジにそれぞれ設置されている。ディスプレイ又は機械における電気信号によるタッチパネル７００におけるタッチ信号への干渉を回避するために、基板７１０の非タッチ面側の表面には１層の遮蔽電極７７０が設置されている。
【００７９】
以上、具体的な好ましい実施形態と合わせて本発明を更に詳細に説明したが、本発明の具体的な実施がそれらの説明に限定されると思うべきではない。当業者にとっては、本発明の趣旨を逸脱することなく、更に幾つかの簡単な推理・演繹又は置換を行うことができ、これらは本発明の保護範囲に属すると考えるべきである。
【図１】
2012526333.tif 000003
【図２】
2012526333.tif 000004
【図３】
2012526333.tif 000005
【図４】
2012526333.tif 000006
【図５】
2012526333.tif 000007
【図６】
2012526333.tif 000008
【図７】
2012526333.tif 000009
【国際調査報告】
2012526333.tif 000010
2012526333.tif 000011
2012526333.tif 000012
2012526333.tif 000013